(57)【特許請求の範囲】
【請求項１】
裏面の四隅にキャスターが取着されたデッキ板の相対する長辺に沿った載置面の略中央部には、それぞれ、台形状の長辺側雄ブロックが立設されているとともに、前記長辺側雄ブロックの下方に位置する前記デッキ板の裏面には、前記長辺側雄ブロックの上端部が嵌合可能な凹部が形成された長辺側雌ブロックに垂設されており、更に、前記デッキ板の相対する短辺の少なくとも一方の短辺に沿った載置面の略中央部には、台形状の短辺側雄ブロックが立設されているとともに、前記短辺側雄ブロックの下方に位置する前記デッキ板の裏面には、短辺側雌ブロックが形成されており、更にまた、前記短辺側雌ブロックの奥部に、前記短辺側雌ブロックの裏面から下方に延在する凸部を突設することにより、前記短辺側雌ブロックには、該短辺側雌ブロックの裏面と前記凸部とにより、切り欠き部が形成されており、運搬台車を段積みした際には、上に位置する運搬台車の前記デッキ板の裏面に垂設された前記長辺側雌ブロックの凹部に、下に位置する運搬台車の前記デッキ板の載置面に立設された前記長辺側雄ブロックの上端部が嵌合されているとともに、上に位置する運搬台車のデッキ板の裏面に垂設された前記短辺側雌ブロックの切り欠き部に、下に位置する運搬台車の載置面に立設された前記短辺側雄ブロックが嵌合するように構成されており、且つ、運搬台車を段積みした際に、上に位置する運搬台車に取着されたキャスターが、下に位置する運搬台車の載置面に接触しないように構成されていることを特徴とする運搬台車。
【発明の詳細な説明】
【０００１】
【発明の属する技術分野】
本発明は、荷物やコンテナー等を載置して運搬するためのキャスターが取り付けられた運搬台車に関するものである。
【０００２】
【従来の技術】
従来、荷物やコンテナー等が載置される載置面を有するデッキ板の裏面にキャスターを取り付けるとともに、デッキ板の上面の四隅に棒状の突起を取着し、且つ、デッキ板の裏面の棒状の突起に対応する位置に、上記の棒状の突起の先端部が嵌合する凹部を有する受け具を取着した運搬台車（例えば、実開平６−６７２５３号公報等）が知られている。そして、上に位置する運搬台車のデッキ板の裏面に取着された受け具に形成された凹部に、下に位置する運搬台車のデッキ板の上面の四隅に突設された棒状の突起の先端部を嵌合させることにより、上に位置する運搬台車に取着されたキャスターが、下に位置する運搬台車のデッキ板に接触しないように構成されている。
【０００３】
【発明が解決しようとする課題】
上述した従来の運搬台車は、デッキ板の四隅に棒状の突起や受け具が取着されているために、キャスターを、デッキ板の裏面の四隅に取着することができず、キャスターを、デッキ板の中央寄りに取着しなければならない。従って、デッキ板の載置面の隅部に荷物等を載置した場合に、下に、デッキ板を支持するキャスターがないので、運搬台車が傾斜したり、倒れたりすることがあり、安定した状態で、運搬台車の載置面への荷物等の積み込みや載置面からの荷物等の排出ができないという問題があり、また、キャスターが、デッキ板の中央寄りに取り付けられているので、運搬台車の走行安定性が悪いという問題がある。
【０００４】
また、運搬台車を段積みする際には、上に位置する運搬台車のデッキ板の裏面に取着された受け具に形成された凹部に、下に位置する運搬台車のデッキ板の上面の四隅に突設された棒状の突起の先端部を嵌合させなければならず、従って、確実に、しかも、迅速に、運搬台車を段積みすることができないという問題がある。
【０００５】
本発明の目的は、上述した従来の運搬台車が有する課題を解決することにある。
【０００６】
【課題を解決するための手段】
本発明は、上述した目的を達成するために、裏面の四隅にキャスターが取着されたデッキ板の相対する長辺に沿った載置面の略中央部には、それぞれ、台形状の長辺側雄ブロックが立設されているとともに、前記長辺側雄ブロックの下方に位置する前記デッキ板の裏面には、前記長辺側雄ブロックの上端部が嵌合可能な凹部が形成された長辺側雌ブロックに垂設されており、更に、前記デッキ板の相対する短辺の少なくとも一方の短辺に沿った載置面の略中央部には、台形状の短辺側雄ブロックが立設されているとともに、前記短辺側雄ブロックの下方に位置する前記デッキ板の裏面には、短辺側雌ブロックが形成されており、更にまた、前記短辺側雌ブロックの奥部に、前記短辺側雌ブロックの裏面から下方に延在する凸部を突設することにより、前記短辺側雌ブロックには、該短辺側雌ブロックの裏面と前記凸部とにより、切り欠き部が形成されており、運搬台車を段積みした際には、上に位置する運搬台車の前記デッキ板の裏面に垂設された前記長辺側雌ブロックの凹部に、下に位置する運搬台車の前記デッキ板の載置面に立設された前記長辺側雄ブロックの上端部が嵌合されているとともに、上に位置する運搬台車のデッキ板の裏面に垂設された前記短辺側雌ブロックの切り欠き部に、下に位置する運搬台車の載置面に立設された前記短辺側雄ブロックが嵌合するように構成されており、且つ、運搬台車を段積みした際に、上に位置する運搬台車に取着されたキャスターが、下に位置する運搬台車の載置面に接触しないように構成したものである。
【０００７】
【実施例】
以下に、本発明の運搬台車Ｔの実施例について説明するが、本発明の趣旨を越えない限り何ら、本実施例に限定されるものではない。
【０００８】
１は、荷物やコンテナー等が載置される載置面１ａを有する、平面形状が長方形状のデッキ板である。デッキ板１の相対する長辺１ｂに沿った載置面１ａの略中央部には、それぞれ、正面形状が、台形状の長辺側雄ブロック２が立設されており、また、デッキ板１の相対する短辺１ｃに沿った載置面１ａの略中央部には、それぞれ、正面形状が、台形状の短辺側雄ブロック３が立設されている。
【０００９】
４は、デッキ板１の載置面１ａに立設された長辺側雄ブロック２の下方に位置するデッキ板１の裏面１ｄに垂設された長辺側雌ブロックであり、長辺側雌ブロックの下部には、長辺側雄ブロック２の上部が嵌合する、長辺１ｂに沿った凹部４ａが形成されている。５は、デッキ板１の載置面１ａに立設された短辺側雄ブロック３の下方に位置するデッキ板１の裏面１ｄに垂設された短辺側雌ブロックであり、短辺側雌ブロック５の奥部には、裏面５ａから下方に延在する凸部５ｂが突設されており、短辺側雌ブロック５の裏面５ａと凸部５ｂとにより、切り欠き部５ｃが形成されている。
【００１０】
Ｃは、デッキ板１の裏面１ｄの四隅に、ボルト、ナット等の適当な固着手段により取着されたキャスターである。
【００１１】
次に、図４及び図５を用いて、上述した構成を有する運搬台車Ｔを、段積みする場合について説明する。
【００１２】
上に位置する運搬台車Ｔ１のデッキ板１の裏面１ｄに垂設された長辺側雌ブロック４の凹部４ａに、下に位置する運搬台車Ｔ２の載置面１ａに突設された長辺側雄ブロック２の上端部を嵌合するとともに、上記の長辺側雄ブロック２の上面２ａが、上記の長辺側雌ブロック４の凹部４ａを形成する天部４ｂに当接するように構成されている。また、上に位置する運搬台車Ｔ１のデッキ板１の裏面１ｄに垂設された短辺側雌ブロック５の切り欠き部５ｃに、下に位置する運搬台車Ｔ２の短辺側雄ブロック３が嵌合するとともに、下に位置する運搬台車Ｔ２の短辺側雄ブロック３の上面３ａが、上に位置する運搬台車Ｔ１の短辺側雌ブロック５の裏面５ａに当接するように、下に位置する運搬台車Ｔ２の上に、上に位置する運搬台車Ｔ１を段積みする。この際、上に位置する運搬台車Ｔ１に取着されたキャスターＣが、下に位置する運搬台車Ｔ２の載置面１ａに接触しないように、長辺側雄ブロック２と短辺側雄ブロック３の載置面１ａからの高さ及び長辺側雌ブロック４の天部４ｂと短辺側雌ブロック５の裏面５ａのデッキ板１の裏面１ｄからの高さが、適宜、設定されている。
【００１３】
上述したように、上に位置する運搬台車Ｔ１と下に位置する運搬台車Ｔ２とを段積みする際に、互いに当接する長辺側雄ブロック２と長辺側雌ブロック４及び短辺側雄ブロック３と短辺側雌ブロック５とが、デッキ板１の隅部に形成されておらず、デッキ板１の相対する長辺１ｂ及び短辺１ｃに沿った載置面１ａ及び裏面１ｄの略中央部に形成されているので、キャスターＣを、デッキ板１の裏面１ｄの隅部に取着することができ、従って、デッキ板１の載置面１ａの隅部に荷物等を載置した場合にも、下に、デッキ板１を支持するキャスターＣがあるので、運搬台車Ｔが傾斜したり、倒れたりすることがなく、安定した状態で、運搬台車Ｔの載置面への荷物等の積み込みや積み出しができるとともに、運搬台車の走行安定性が向上する。
【００１４】
また、上に位置する運搬台車Ｔ１を、下に位置する運搬台車Ｔ２に段積みする際に、長辺側雄ブロック２と長辺側雌ブロック４の凹部４ａを、作業者が容易に見ることができるので、長辺側雌ブロック４の凹部４ａへの長辺側雄ブロック２の嵌合が容易であり、また、この長辺側雌ブロック４の凹部４ａへの長辺側雄ブロック２の嵌合により、短辺側雄ブロック３の上面３ａと短辺側雌ブロック５の裏面５ａとが当接するような位置に配置されるので、上に位置する運搬台車Ｔ１と下に位置する運搬台車Ｔ２との段積み作業の作業性が向上する。
【００１５】
更に、下に位置する運搬台車Ｔ２の上に、上に位置する運搬台車Ｔ１を段積みした際に、上に位置する運搬台車Ｔ１に取着されたキャスターＣが、下に位置する運搬台車Ｔ２の載置面１ａに接触しないように構成されているので、荷物が載置される載置面１ａが、キャスターＣにより汚れるようなことがない。
【００１６】
図６に示されている実施例は、上述した運搬台車Ｔに形成されている相対する短辺側雄ブロック３の一方の短辺側雄ブロック３を省略したものである。このように、一方の短辺側雄ブロック３を省略することにより、短辺側雄ブロック３が省略された側からの運搬台車Ｔの載置面１ａへの荷物等の積み込みや載置面１ａからの荷物等の排出が容易になる。
【００１７】
図７に示されている実施例は、上述した運搬台車Ｔに形成されている相対する短辺側雄ブロック３の両方を省略したものである。このように、両方の短辺側雄ブロック３を省略することにより、デッキ板１の相対する短辺１ｃ側からの運搬台車Ｔの載置面１ａへの荷物等の積み込みや載置面１ａからの荷物等の排出が容易になる。
【００１８】
なお、上述した実施例には、長辺側雄ブロック２と嵌合する凹部４ａを有する長辺側雌ブロック４を、デッキ板１の裏面１ｄに形成した例が示されているが、このような凹部４ａを有する長辺側雌ブロック４を省略し、長辺側雌ブロック４に代えて、デッキ板１の裏面１ｄに、直に、長辺側雄ブロック２の上端部が嵌合する凹部を設けることもできる。同様に、短辺側雄ブロック３の上面３ａと当接する短辺側雌ブロック５を省略し、短辺側雄ブロック３の上面３ａを、デッキ板１の裏面１ｄに、直に、当接するように構成することもできる。この場合には、上に位置する運搬台車Ｔ１に取着されたキャスターＣが、下に位置する運搬台車Ｔ２の載置面１ａに接触しないように、長辺側雄ブロック２及び短辺側雄ブロック３の高さを、上述した実施例の場合より、より高くする。
【００１９】
なお、上述した構成を有する運搬台車Ｔは、キャスターＣを除いて、射出成型機等を用いて、合成樹脂で一体に成形することが好ましい。
【００２０】
【発明の効果】
本発明は、以上説明した構成を有しているので、以下に記載する効果を奏するものである。
【００２１】
デッキ板の相対する長辺に沿った載置面の略中央部には、それぞれ、長辺側雄ブロックが立設されているとともに、前記長辺側雄ブロックの下方に位置するデッキ板の裏面には、前記長辺側雄ブロックの上端部が嵌合可能な凹部が形成されているので、上に位置する運搬台車を、下に位置する運搬台車に段積みする際に、長辺側雄ブロックと凹部を、作業者が容易に見ることができ、従って、凹部への長辺側雄ブロックの嵌合が容易であり、運搬台車の段積み作業の作業性が向上する。また、デッキ板の裏面の四隅に、キャスターが取着されているので、デッキ板の隅部に荷物等を載置した場合にも、運搬台車が傾斜したり、倒れたりするようなことがなく、安定した状態で、運搬台車の載置面への荷物等の積み込みや載置面かの荷物等の排出ができるとともに、運搬台車の走行安定性が向上することになる。
【００２２】
デッキ板の相対する短辺の少なくとも一方の短辺に沿った載置面の略中央部には、短辺側雄ブロックが立設されているとともに、短辺側雄ブロックの下方に位置するデッキ板の裏面には、前記短辺側雄ブロックの上面が当接する短辺側雌ブロックが形成されているので、より安定した状態で、多数の運搬台車を段積みすることができる。
【００２３】
運搬台車を段積みした際に、上に位置する運搬台車に取着されたキャスターが、下に位置する運搬台車の載置面に接触しないように構成したので、荷物が載置される載置面が、キャスターにより汚れるようなことがない。
【図面の簡単な説明】
【図１】図１は本発明の運搬台車の斜視図である。
【図２】図２は本発明の運搬台車の正面図である。
【図３】図３は本発明の運搬台車の平面図である。
【図４】図４は本発明の運搬台車を段積みした状態の斜視図である。
【図５】図５は本発明の運搬台車を段積みした状態の正面図である。
【図６】図６は本発明の別の実施例の運搬台車の斜視図である。
【図７】図７は本発明の更に別の実施例の運搬台車の斜視図である。
【符号の説明】
Ｔ・・・・・・・運搬台車
Ｃ・・・・・・・キャスター
１・・・・・・・デッキ板
２・・・・・・・長辺側雄ブロック
３・・・・・・・短辺側雄ブロック
４・・・・・・・長辺側雌ブロック
５・・・・・・・短辺側雌ブロック
【図１】
0003811338.tif 000002
【図２】
0003811338.tif 000003
【図３】
0003811338.tif 000004
【図４】
0003811338.tif 000005
【図５】
0003811338.tif 000006
【図６】
0003811338.tif 000007
【図７】
0003811338.tif 000008